(57)【要約】【課題】比較的に簡単な構成で確実に静電気からドームスイッチを保護することができるドームスイッチ付き基板ユニットを提供する。【解決手段】プリント基板２７の表面にはドームスイッチが形成される。このドームスイッチではプリント基板２７の表面にドーム形の電極２９が張り合わせられる。電極２９には空気孔が区画される。絶縁体フィルム３２はドームスイッチの電極２９およびその周囲を完全に覆い隠す。こうしてドームスイッチは静電気から保護される。絶縁体フィルム３２は電極２９の周囲で局所的にプリント基板２７に接着される。絶縁体フィルム３２とプリント基板２７との間で空間の密閉は回避される。空気孔を通じて電極２９の内外で空気の出入りは確実に確保されることができる。【選択図】図３
2006032263.tif 000002
【特許請求の範囲】
【請求項１】
プリント基板と、プリント基板の表面に張り合わせられるドーム形の電極に空気孔を区画するドームスイッチと、ドームスイッチの電極およびその周囲を覆い隠し、ドームスイッチの電極の周囲で局所的にプリント基板に接着される絶縁体フィルムとを備えることを特徴とするドームスイッチ付き基板ユニット。
【請求項２】
プリント基板と、プリント基板の表面に張り合わせられるドーム形の電極に空気孔を区画する複数のドームスイッチと、複数のドームスイッチの電極およびその周囲を覆い隠し、ドームスイッチの電極同士の間でプリント基板に接着される１枚の絶縁体フィルムとを備えることを特徴とするドームスイッチ付き基板ユニット。
【請求項３】
筐体と、筐体に区画される開口内に配置されて、筐体の内部空間に向かって変位可能なスイッチボタンと、筐体内に収容されるプリント基板と、プリント基板の表面に張り合わせられるドーム形の電極に空気孔を区画し、ドーム形の電極でスイッチボタンから延びる突起の駆動力を受け止めるドームスイッチと、ドームスイッチの電極およびスイッチボタンの突起の間に配置されてドームスイッチおよびその周囲を覆い隠し、ドームスイッチの電極の周囲で局所的にプリント基板に接着される絶縁体フィルムとを備えることを特徴とする電子機器。
【請求項４】
筐体と、筐体に区画される複数の開口内に個別に配置されて、筐体の内部空間に向かって変位可能な複数のスイッチボタンと、筐体内に収容されるプリント基板と、プリント基板の表面に張り合わせられるドーム形の電極に空気孔を区画し、ドーム形の電極でスイッチボタンから延びる突起の駆動力を受け止める複数のドームスイッチと、複数のドームスイッチの電極およびスイッチボタンの突起の間に配置されて複数のドームスイッチおよびその周囲を覆い隠し、ドームスイッチの電極同士の間でプリント基板に接着される１枚の絶縁体フィルムとを備えることを特徴とする電子機器。
【発明の詳細な説明】
【技術分野】
【０００１】
本発明はいわゆるドームスイッチに関する。
【背景技術】
【０００２】
いわゆるドームスイッチは広く知られる。ドームスイッチは、例えばプリント基板の表面に張り合わせられるドーム形の樹脂フィルムを備える。樹脂フィルムの内側には導電膜が形成される。ドームの頂上がプリント基板の表面に向かって押し込まれると、樹脂フィルム上の導電膜がプリント基板上の導電膜すなわち接点に接触する。その結果、ドームスイッチの導通は達成される。
【特許文献１】特開平８−１４８０５６号公報
【特許文献２】特開２００１−４３７６４号公報
【特許文献３】特開平８−２８６７９７号公報
【発明の開示】
【発明が解決しようとする課題】
【０００３】
樹脂フィルムには空気孔が区画される。こうした空気孔によれば、ドーム形の樹脂フィルムの内外で空気の出入りが確保される。こうした空気の出入りが阻止されると、ドーム形の樹脂フィルムの内側は完全に密閉される。空気の逃げ場が閉ざされる結果、樹脂フィルムの変形は実現されることができない。ドームスイッチの導通は実現されることができない。その一方で、こういった空気孔から樹脂フィルム内には静電気が侵入する。静電気の蓄積はドームスイッチの機能を阻害してしまう。
【０００４】
本発明は、上記実状に鑑みてなされたもので、比較的に簡単な構成で確実に静電気からドームスイッチを保護することができるドームスイッチ付き基板ユニットを提供することを目的とする。
【課題を解決するための手段】
【０００５】
上記目的を達成するために、第１発明によれば、プリント基板と、プリント基板の表面に張り合わせられるドーム形の電極に空気孔を区画するドームスイッチと、ドームスイッチの電極およびその周囲を覆い隠し、ドームスイッチの電極の周囲で局所的にプリント基板に接着される絶縁体フィルムとを備えることを特徴とするドームスイッチ付き基板ユニットが提供される。
【０００６】
こういったドームスイッチ付き基板ユニットでは、絶縁体フィルムの働きでドームスイッチは静電気から保護されることができる。空気孔からドームスイッチの電極内に静電気が侵入することは防止されることができる。しかも、接着は電極の周囲で局所的に実施されることから、絶縁体フィルムとプリント基板との間で空間の密閉は回避される。空気孔を通じて電極の内外で空気の出入りは確実に確保されることができる。
【０００７】
こういったドームスイッチ付き基板ユニットは様々な電子機器に組み込まれることができる。例えば、電子機器は、筐体と、筐体に区画される開口内に配置されて、筐体の内部空間に向かって変位可能なスイッチボタンと、筐体内に収容されるプリント基板と、プリント基板の表面に張り合わせられるドーム形の電極に空気孔を区画し、ドーム形の電極でスイッチボタンから延びる突起の駆動力を受け止めるドームスイッチと、ドームスイッチの電極およびスイッチボタンの突起の間に配置されてドームスイッチおよびその周囲を覆い隠し、ドームスイッチの電極の周囲で局所的にプリント基板に接着される絶縁体フィルムとを備えればよい。この電子機器では電極と突起との間に絶縁体フィルムが挟み込まれることから、電極は突起の接触を回避することができる。絶縁体フィルムは物理的に電極を保護することができる。
【０００８】
第２発明によれば、プリント基板と、プリント基板の表面に張り合わせられるドーム形の電極に空気孔を区画する複数のドームスイッチと、複数のドームスイッチの電極およびその周囲を覆い隠し、ドームスイッチの電極同士の間でプリント基板に接着される１枚の絶縁体フィルムとを備えることを特徴とするドームスイッチ付き基板ユニットが提供される。
【０００９】
こういったドームスイッチ付き基板ユニットでは、前述と同様に、絶縁体フィルムの働きでドームスイッチは静電気から保護されることができる。空気孔からドームスイッチの電極内に静電気が侵入することは防止されることができる。しかも、接着は電極の周囲で局所的に実施されることから、絶縁体フィルムとプリント基板との間で空間の密閉は回避される。空気孔を通じて電極の内外で空気の出入りは確実に確保されることができる。このドームスイッチ付き基板ユニットでは、複数のドームスイッチに対して１枚の絶縁体フィルムが利用されることから、部品コストの低減や取り付け工程の簡素化は実現されることができる。
【００１０】
こういったドームスイッチ付き基板ユニットは様々な電子機器に組み込まれることができる。例えば、電子機器は、筐体と、筐体に区画される複数の開口内に個別に配置されて、筐体の内部空間に向かって変位可能な複数のスイッチボタンと、筐体内に収容されるプリント基板と、プリント基板の表面に張り合わせられるドーム形の電極に空気孔を区画し、ドーム形の電極でスイッチボタンから延びる突起の駆動力を受け止める複数のドームスイッチと、複数のドームスイッチの電極およびスイッチボタンの突起の間に配置されて複数のドームスイッチおよびその周囲を覆い隠し、ドームスイッチの電極同士の間でプリント基板に接着される１枚の絶縁体フィルムとを備えればよい。この電子機器では、前述と同様に、電極と突起との間に絶縁体フィルムが挟み込まれることから、電極は突起の接触を回避することができる。絶縁体フィルムは物理的に電極を保護することができる。
【発明の効果】
【００１１】
以上のように本発明によれば、比較的に簡単な構成で確実にドームスイッチは静電気から保護されることができる。
【発明を実施するための最良の形態】
【００１２】
以下、添付図面を参照しつつ本発明の一実施形態を説明する。
【００１３】
図１は本発明の一実施形態に係る電子機器すなわちノートブックパーソナルコンピュータ（以下「ノートパソコン」という）１１の外観を概略的に示す。このノートパソコン１１は、例えばマザーボードを収容する本体筐体１２を備える。マザーボード上には例えばＣＰＵ（中央演算処理装置）やメモリといった電子回路素子が搭載される。ＣＰＵは、例えばメモリに一時的に格納されるソフトウェアプログラムやデータに基づき様々な演算処理を実行する。ソフトウェアプログラムやデータは、同様に本体筐体１２内に収容されるハードディスク駆動装置（ＨＤＤ）といった大容量記憶装置に格納されればよい。
【００１４】
本体筐体１２にはキーボード１３やポインティングデバイス１４といった入力装置が組み込まれる。こういった入力装置１３、１４の働きでノートパソコン１１の使用者はＣＰＵに向けて様々な指令やデータを入力することができる。ポインティングデバイス１４には例えばタッチパッドが利用されればよい。
【００１５】
本体筐体１２にはディスプレイ装置１５が連結される。このディスプレイ装置１５は、例えば液晶ディスプレイ（ＬＣＤ）パネル１６といった平面ディスプレイパネルを収容するディスプレイ用筐体１７を備える。ディスプレイ用筐体１７は、本体筐体１２の一端に設定される回転軸１８回りで回転自在に本体筐体１２に結合される。こうしてディスプレイ用筐体１７は本体筐体１２に対して相対的に回転移動することができる。こういった回転移動に基づきディスプレイ装置１５は本体筐体１２に重ね合わせられることができる。液晶ディスプレイパネル１６の画面には、ＣＰＵの演算処理や入力装置１３、１４の操作に基づき様々なテキストやグラフィックスが表示されることができる。
【００１６】
本体筐体１２はスイッチカバー２１を備える。スイッチカバー２１には例えば３つの開口２２が形成される。個々の開口２２内にはスイッチボタン２３が配置される。スイッチボタン２３は本体筐体１２の内部空間に向かって変位することができる。スイッチボタン２３の変位は、スイッチカバー２１の表面に対して垂直方向に規定される。こういった変位の実現にあたって、例えば図２に示されるように、スイッチボタン２３は開口２２内で弾性部材２４に支持される。個々のスイッチボタン２３には、前述の垂直方向に延びる突起２５が形成される。スイッチボタン２３は例えばポリカーボネートといった硬質のプラスチック材から成型されればよい。
【００１７】
本体筐体１２の内部すなわちスイッチカバー２１の内側にはプリント基板ユニット２６が収容される。このプリント基板ユニット２６は、スイッチカバー２１に並列に延びるフレキシブルプリント基板２７を備える。フレキシブルプリント基板２７上にはスイッチボタン２３の個数に応じて３個のドームスイッチ２８が配置される。
【００１８】
個々のドームスイッチ２８はフレキシブルプリント基板２７の表面に張り合わせられるドーム形の電極２９を備える。こうした電極２９は、周知の通りに、フレキシブルプリント基板２７の表面との間に空間を区画する樹脂フィルム製のドームと、ドームの内側に形成される導電膜とから構成される。樹脂フィルムには例えばポリエステルやポリカーボネートといった樹脂材料が利用されればよい。その一方で、フレキシブルプリント基板２７の表面には、そういった導電膜に所定の間隔で向き合わせられる導電膜が形成される。ドームの頂上がフレキシブルプリント基板２７の表面に向かって押し込まれると、導電膜同士は相互に接触し合う。導電膜は、フレキシブルプリント基板２７上に張り巡らされる導電パターンに個別に接続される。
【００１９】
電極２９のドームには空気孔３１が区画される。空気孔３１はドームの内外で空気の出入りを確保する。所定の押し込み力でドームの頂上が押し込まれると、空気孔からドーム内の空気は逃される。その結果、ドームの変形は達成される。ドームの頂上が押し込み力から解放されると、空気孔からドーム内に大気は導入される。その結果、ドームは原形に復帰することができる。
【００２０】
個々の電極２９、２９、２９と３つの開口２２、２２、２２との間には１枚の絶縁体フィルム３２が配置される。絶縁体フィルム３２は、個々の電極２９と対応するスイッチボタン２３の突起２５との間に挟み込まれる。スイッチボタン２３の変位にあたって突起２５の駆動力はドームの頂上で受け止められる。このとき、絶縁体フィルム３２は突起２５とドームとの間に挟み込まれる。こうして電極２９のドームは突起２５の接触を回避することができる。絶縁体フィルム３２は物理的に電極２９のドームを保護する。絶縁体フィルム３２は例えばポリエチレンテレフタラート（ＰＥＴ）といった樹脂材料から形成されればよい。樹脂材料には比較的に硬質のものが使用されればよい。
【００２１】
図３に示されるように、絶縁体フィルム３２は、ドームスイッチ２８、２８、２８の電極２９、２９、２９を完全に覆う。しかも、絶縁体フィルム３２は電極２９、２９、２９の周囲も完全に覆い隠す。したがって、開口２２、２２、２２から侵入する静電気は絶縁体フィルム３２で遮られる。こうしてドームスイッチ２８、２８、２８の電極２９、２９、２９は静電気から保護される。このとき、絶縁体フィルム３２は開口２２、２２、２２の外縁よりも外側に向かって大きく広がることが望まれる。静電気の遮断にあたって絶縁体フィルム３２のみが用いられることから、プリント基板２７とスイッチカバー２１との間隔は十分に狭められることができる。
【００２２】
このプリント基板ユニット２６では、絶縁体フィルム３２はフレキシブルプリント基板２７に接着される。接着はドームスイッチ２８の電極２９の周囲で局所的に実施される。ここでは、隣接する電極２９、２９同士の間で延びる仮想直線に沿って両面接着テープ３３が貼付される。したがって、絶縁体フィルム３２とフレキシブルプリント基板２７との間で空間の密閉は回避される。こうして前述の空気孔３１に基づき電極２９、２９、２９のドームの呼吸は許容される。ドームの変形は確実に実現されることができる。
【００２３】
なお、以上のようなプリント基板ユニット２６では、前述のように複数のドームスイッチ２８に対して共通に１枚の絶縁体フィルム３２が配置されてもよく、個々のドームスイッチ２８ごとに１枚の絶縁体フィルム３２が配置されてもよい。その他、前述の両面接着テープ３３に代えて接着剤その他の接着方法やクリップその他の固定方法が採用されてもよい。
【図面の簡単な説明】
【００２４】
【図１】本発明の一実施形態に係る電子機器すなわちノートブックパーソナルコンピュータの外観を概略的に示す斜視図である。
【図２】スイッチカバーおよびスイッチボタンの垂直断面図である。
【図３】プリント基板ユニットの分解斜視図である。
【符号の説明】
【００２５】
１１  電子機器（ノートブックパーソナルコンピュータ）、２１  筐体（スイッチカバー）、２２  開口、２３  スイッチボタン、２５  突起、２６  ドームスイッチ付き基板ユニット（プリント基板ユニット）、２７  プリント基板（フレキシブルプリント基板）、２８  ドームスイッチ、２９  電極、３１  空気孔、３２  絶縁体フィルム。
【図１】
2006032263.tif 000003
【図２】
2006032263.tif 000004
【図３】
2006032263.tif 000005